(57)【特許請求の範囲】
【請求項１】
投入された貨幣を受け入れる貨幣入金口と、貨幣を認識する貨幣認識手段と、投入貨幣を一時的に保留する一時保留手段と、上記一時保留手段に保留されていた貨幣が返却される貨幣出金口と、貨幣を搬送させる搬送路とを有し、上記貨幣入金口に投入された貨幣を上記貨幣認識手段経由で上記一時保留手段に搬送させると共に、上記一時保留手段に保留されていた貨幣を、上記貨幣認識手段を経由させないで上記貨幣出金口に返却させる貨幣処理装置において、
上記一時保留手段に保留されていた貨幣の枚数である保留枚数を計数する保留枚数計数手段と、
上記貨幣出金口に返却された貨幣の枚数である返却枚数を計数する返却枚数計数手段と、
上記保留枚数と上記返却枚数とを比較し、これら枚数が所定の不一致関係にあるときに、上記貨幣出金口への返却が正常になされたか否かを確認する処理を実行し、上記貨幣出金口への返却が正常になされたと確認できた場合に貨幣の返却を正常終了させ、上記貨幣出金口への返却が正常になされたと確認できない場合に異常と判断するエラー処理回避手段と
を有することを特徴とする貨幣処理装置。
【請求項２】
上記エラー処理回避手段が実行する確認処理が、上記貨幣出金口へ返却された貨幣の枚数を再計数させ、再計数された返却枚数が上記保留枚数と一致したことを、上記貨幣出金口への返却が正常になされたと捉える処理であることを特徴とする請求項１に記載の貨幣処理装置。
【請求項３】
上記貨幣出金口へ返却された貨幣を上記貨幣認識手段を通過させることにより、再計数された返却枚数を得ることを特徴とする請求項２に記載の貨幣処理装置。
【請求項４】
上記エラー処理回避手段が実行する確認処理が、上記貨幣出金口へ返却された所定枚数の貨幣を使用し、上記貨幣入金口に投入された貨幣を上記貨幣認識手段経由で上記一時保留手段に搬送させる経路と、上記一時保留手段に保留されていた貨幣を上記貨幣認識手段を経由させないで上記貨幣出金口に返却させる経路とに貨幣が残留しているか否かを確認し、貨幣が残留していないことを、上記貨幣出金口への返却が正常になされたと捉える処理であることを特徴とする請求項１に記載の貨幣処理装置。
【請求項５】
貨幣を認識する貨幣認識手段と、投入貨幣を一時的に保留する一時保留手段と、投入された貨幣を受け入れ、上記一時保留手段に保留されていた貨幣が返却される貨幣入出金口と、貨幣を搬送させる搬送路とを有し、上記貨幣入出金口に投入された貨幣を上記貨幣認識手段経由で上記一時保留手段に搬送させると共に、上記一時保留手段に保留されていた貨幣を、上記貨幣認識手段を経由させないで上記貨幣入出金口に返却させる貨幣処理装置において、
上記一時保留手段に保留されていた貨幣の枚数である保留枚数を計数する保留枚数計数手段と、
上記貨幣入出金口に返却された貨幣の枚数である返却枚数を計数する返却枚数計数手段と、
上記保留枚数と上記返却枚数とを比較し、これら枚数が所定の不一致関係にあるときに、上記貨幣入出金口への返却が正常になされたか否かを確認する処理を実行し、上記貨幣入出金口への返却が正常になされたと確認できた場合に貨幣の返却を正常終了させ、上記貨幣入出金口への返却が正常になされたと確認できない場合に異常と判断するエラー処理回避手段と
を有することを特徴とする貨幣処理装置。
【発明の詳細な説明】
【技術分野】
【０００１】
本発明は貨幣処理装置に関し、例えば、少なくとも紙幣の取込みを伴う取引を行う自動取引装置（ＡＴＭ；Ａｕｔｏｍａｔｉｃ  Ｔｅｌｌｅｒ  Ｍａｃｈｉｎｅ）の紙幣入出金機に適用し得るものである。
【背景技術】
【０００２】
従来、紙幣を取り扱う循環型の自動取引装置は紙幣入出金機を備えている。自動取引装置においては、入金取引が選択されて紙幣を取り込んだが、その後、入金取引が中止され、紙幣を返却する場合が起こり得る。このような場合において、過去においては、取り込んだ紙幣と異なる紙幣を返却することも行われていたが、投入紙幣と返却紙幣とが別の紙幣であることで、顧客とトラブルが起こる恐れがある。
【０００３】
そのため、今日においては、一時保留部を有する紙幣入出金機が中心となっている。すなわち、紙幣入出金機の入出金口に入金された紙幣は、紙幣の金種や搬送状態（例えば、重送、斜行など）を認識する紙幣認識部を通過し、一時保留部へ搬送されて一時保留される。入金取引が確定されると、一時保留された紙幣は、紙幣認識部を通過して金種が認識され、金種別収納部に収納される。一方、入金取引が中止されると、一時保留された紙幣は入出金口に返却される。
【０００４】
この返却時にも、一時保留されていた紙幣を、紙幣認識部を通過させて枚数などを管理する紙幣入出金機もあれば、返却の高速処理を期して、一時保留されていた紙幣を、紙幣認識部を通過させないで入出金口に返却する紙幣入出金機もある。後者の紙幣入出金機としては、例えば、特許文献１や特許文献２に記載のものを挙げることができる。
【先行技術文献】
【特許文献】
【０００５】
【特許文献１】特開２００７−０７２９７３号公報
【特許文献２】特開２００４−３１０５９４号公報
【発明の概要】
【発明が解決しようとする課題】
【０００６】
一時保留されていた紙幣を、紙幣認識部を通過させないで入出金口に返却する紙幣入出金機であっても、返却する紙幣の枚数を管理し、正しく返却できていることを確認することが好ましく、従来、一部保留部に保留されていた枚数と、入出金口に返却された枚数とが一致するかを確認していた。そして、両枚数が不一致の場合には、係員などへの通知処理などのエラー処理を行う。
【０００７】
紙幣認識部は画像処理による認識を行うので、紙幣認識部を通過させる場合であれば、紙幣の重送（複数の紙幣が重なった状態で搬送されること）を高い確率で認識することができる。しかしながら、一時保留されていた紙幣を紙幣認識部を通過させないで入出金口に返却する場合、重送を認識することはできない。そのため、一部保留部に保留されていた枚数と、入出金口に返却された枚数とが一致しないと判断することも生じ易く、エラー処理を行う割合が高くなる。その結果、紙幣入出金機を有する自動取引装置の稼働率を低下させ、また、顧客に足止めをさせることが多くなってしまう。
【０００８】
そのため、一部保留されていた貨幣を出金口に返却する際におけるエラー処理の割合を抑えることができる貨幣処理装置が望まれている。
【課題を解決するための手段】
【０００９】
第１の本発明は、投入された貨幣を受け入れる貨幣入金口と、貨幣を認識する貨幣認識手段と、投入貨幣を一時的に保留する一時保留手段と、上記一時保留手段に保留されていた貨幣が返却される貨幣出金口と、貨幣を搬送させる搬送路とを有し、上記貨幣入金口に投入された貨幣を上記貨幣認識手段経由で上記一時保留手段に搬送させると共に、上記一時保留手段に保留されていた貨幣を、上記貨幣認識手段を経由させないで上記貨幣出金口に返却させる貨幣処理装置において、（１）上記一時保留手段に保留されていた貨幣の枚数である保留枚数を計数する保留枚数計数手段と、（２）上記貨幣出金口に返却された貨幣の枚数である返却枚数を計数する返却枚数計数手段と、（３）上記保留枚数と上記返却枚数とを比較し、これら枚数が所定の不一致関係にあるときに、上記貨幣出金口への返却が正常になされたか否かを確認する処理を実行し、上記貨幣出金口への返却が正常になされたと確認できた場合に貨幣の返却を正常終了させ、上記貨幣出金口への返却が正常になされたと確認できない場合に異常と判断するエラー処理回避手段とを有することを特徴とする。
【００１０】
第２の本発明は、貨幣を認識する貨幣認識手段と、投入貨幣を一時的に保留する一時保留手段と、投入された貨幣を受け入れ、上記一時保留手段に保留されていた貨幣が返却される貨幣入出金口と、貨幣を搬送させる搬送路とを有し、上記貨幣入出金口に投入された貨幣を上記貨幣認識手段経由で上記一時保留手段に搬送させると共に、上記一時保留手段に保留されていた貨幣を、上記貨幣認識手段を経由させないで上記貨幣入出金口に返却させる貨幣処理装置において、（１）上記一時保留手段に保留されていた貨幣の枚数である保留枚数を計数する保留枚数計数手段と、（２）上記貨幣入出金口に返却された貨幣の枚数である返却枚数を計数する返却枚数計数手段と、（３）上記保留枚数と上記返却枚数とを比較し、これら枚数が所定の不一致関係にあるときに、上記貨幣入出金口への返却が正常になされたか否かを確認する処理を実行し、上記貨幣入出金口への返却が正常になされたと確認できた場合に貨幣の返却を正常終了させ、上記貨幣入出金口への返却が正常になされたと確認できない場合に異常と判断するエラー処理回避手段とを有することを特徴とする。
【発明の効果】
【００１２】
本発明によれば、一部保留されていた貨幣を出金口に返却する際におけるエラー処理の割合を抑えることができる貨幣処理装置を提供できる。
【図面の簡単な説明】
【００１３】
【図１】第１の実施形態の自動取引装置の外観を示す斜視図である。
【図２】第１の実施形態における紙幣処理部の構成を示す概略側面図である。
【図３】第１の実施形態における一時保留部への経路と一時保留部からの経路との説明図である。
【図４】第１の実施形態の自動取引装置における制御系の構成を示すブロック図である。
【図５】第１の実施形態の自動取引装置における入金取引の特徴処理を示すフローチャートである。
【図６】第２の実施形態の自動取引装置における入金取引の特徴処理を示すフローチャートである。
【発明を実施するための形態】
【００１４】
（Ａ）第１の実施形態
以下、本発明による貨幣処理装置を、自動取引装置（ＡＴＭ）における紙幣入出金機に適用した第１の実施形態を、図面を参照しながら説明する。
【００１５】
（Ａ−１）第１の実施形態の構成
図１は、第１の実施形態に係る自動取引装置１の外観を示す斜視図である。第１の実施形態の自動取引装置１は、操作部２、紙幣入出金口３、硬貨入出金口４、カード出入口６、通帳出入口７を備えている。
【００１６】
操作部２は、表示部とタッチパネル式の入力部とを備え、顧客の操作により各種の入力を行なうと共に、操作ガイダンス等が表示されるものである。
【００１７】
紙幣入出金口３は、紙幣が投入されると共に、紙幣が排出される開口部である。紙幣入出金口３にはシャッタが設けられ、シャッタが駆動されることにより紙幣入出金口３が開閉される。紙幣入出金口３は、装置内の破線部で示した後述する紙幣処理部（紙幣入出金機）１０に接続されている。
【００１８】
硬貨入出金口４は、硬貨が投入されると共に、硬貨が排出される開口部である。硬貨入出金口４にもシャッタが設けられ、シャッタが駆動されることにより硬貨入出金口４が開閉される。
【００１９】
カード出入口６は、取引で使用されるカード（磁気カード、ＩＣカードなど記録方式は問われない；キャッシュカード、クレジットカードなど発行元は問われない）がここから挿入され、取引が終了するとカードが排出される出入り口である。なお、カード出入口６から、取引内容が記載された明細票が排出されることもあり得る。
【００２０】
通帳出入口７は、取引で使用される通帳がここから挿入され、取引が終了すると通帳が排出される出入り口である。
【００２１】
図２は、上述した紙幣処理部１０の構成を示す概略側面図である。なお、図２は、紙幣カセットが４個の例を示しているが、紙幣カセットの数は４個に限定されないものである。
【００２２】
図２において、紙幣処理部１０は、上部ユニット１０Ｕと下部ユニット１０Ｄとに分かれている。上部ユニット１０Ｕは、紙幣を投入したり排出したりするための接客ユニット１１、紙幣の真偽や種類や重送など判別すると共に、適宜、種類毎の枚数をカウントする紙幣認識ユニット（紙幣認識部）１２、搬送路からなる搬送ユニット１４、投入され認識が終わり紙幣カセットへの移動待ちの紙幣を一時的に保留する一時保留部１３などを有する。下部ユニット１０Ｄには、各金種の紙幣をそれぞれ格納しておく紙幣カセット１５ａ〜１５ｄと、出金用紙幣として補充すべき補充用紙幣を収納したり金種別紙幣カセット１５ａ〜１５ｄのいずれかが満杯になったときなどに回収用紙幣を取り込んで収納したりする補充回収収納部１６、紙幣入出金口３へと出金された紙幣を顧客が取り忘れた場合に再び取り込んで収容する取忘れ紙幣収納部１７、出金時のリジェクト紙幣などを収容する出金リジェクト収納部１８などを有する。
【００２３】
ここで、接客ユニット１１には、搬送路から当該接客ユニット１１へ搬送される紙幣を検知する排出紙幣検知センサ１１ａが設けられている。この検知センサ１１ａは、例えば光電センサでなり、投光部と受光部とを結ぶ経路上を紙幣が通過することで投光部からの光線が遮断されることにより紙幣（の通過）を検知するものである。排出紙幣検知センサ１１ａの検知信号を計数することにより、後述する主制御部２０は、接客ユニット１１へ排出された紙幣の枚数を捉えることができる。
【００２４】
図３（Ａ）は、接客ユニット１１に投入された紙幣を一時保留部１３へ搬送する際の経路を示し、図３（Ｂ）は、一時保留部１３に一時保留されていた紙幣を接客ユニット１１に排出（返却）する際の経路を示している。なお、図３は、上部ユニット１０Ｕだけを取り出して記載している。この図３に示すように、第１の実施形態に係る自動取引装置１では、一時保留部１３に一時保留されていた紙幣を接客ユニット１１に排出する際には、紙幣認識ユニット１２を通過させない経路が選ばれている。
【００２５】
図４は、第１の実施形態の自動取引装置１における制御系の構成を示すブロック図である。図４において、自動取引装置１は、各部の制御を司る主制御部２０と、上述した操作部２、キャッシュカード等に情報のリードライトを行うカード処理部２１、操作ガイダンス等を音声出力する音声案内部２２、通帳の磁気ストライプのリードライトや通帳への印字制御を行う通帳処理部２３、取引明細を明細票に印字して排出する明細票処理部２４、紙幣の取込みや排出を制御する上述した紙幣処理部１０、硬貨の取込みや排出を制御する硬貨処理部２５を有する。また、自動取引装置１は、各部に電源を供給する電源部２７、主制御部２０の記憶部としてのメモリ部２８、図示しない当該金融機関のホストコンピュータとのインタフェースを制御するインタフェース部２９を有する。
【００２６】
主制御部２０は、例えば、主にマイクロコンピュータなどで構成されており、当該自動取引装置１の動作全体を制御するものである。メモリ部２８は、例えば、プログラムメモリやワーキングメモリや設定データメモリでなる。主制御部２０（マイクロコンピュータ）は、プログラムメモリに格納されているプログラムや設定データメモリに設定されているデータに従い、ワーキングメモリを、情報を一時的に記憶するメモリとして用いながら、各部を制御する。
【００２７】
メモリ部２８に記憶されているプログラムとして、入金取引プログラム２８ａ（後述する図５参照）がある。メモリ部２８に記憶されている作業データ（ワーキングデータ）として、一時保留部１３に保留されている紙幣の枚数データ２８ｂや、接客ユニット１１へ排出された紙幣の枚数データ２８ｃがある。
【００２８】
（Ａ−２）第１の実施形態の動作
第１の実施形態は、一時保留部１３に一時保留されていた紙幣を接客ユニット１１に排出（返却）する際の処理に特徴を有するものである。そこで、以下では、入金取引処理が選択されたときの処理を、図５のフローチャートを参照しながら説明する。図５は、第１の実施形態の特徴が理解し易いように、入金取引で紙幣が投入され、一時保留部１３への搬送が完了した後に、入金取消が選択され、一時保留部１３から接客ユニット１１（言い換えると紙幣入出金口３）へ返却する場合の例を示している。
【００２９】
入金取引が選択されると、主制御部２０は、紙幣入出金口３のシャッタを開き、入金紙幣を接客ユニット１１に投入させる（ステップＳ１００）。顧客は、シャッタが開いた際には、入金紙幣を接客ユニット１１に投入し、操作部２に表示されている画面の「読取」アイコンを操作する。
【００３０】
このとき、主制御部２０は、紙幣入出金口３のシャッタを閉じ、投入された紙幣１枚ずつを分離、繰出し、紙幣認識ユニット１２経由で一時保留部１３に搬送させて、一時保留部１３に保留させる（ステップＳ１０１）。投入された全ての紙幣は、紙幣認識ユニット１２を通過するので、一時保留部１３に搬送された枚数は確定し、保留紙幣の枚数データ２８ｂが格納され、また、入金総額が算出される。
【００３１】
全ての入金紙幣を一時保留部１３に搬送させた後では、主制御部２０は、入金総額や「入金確定」アイコンや「取消」アイコンを含む画面を操作部２に表示させ、これに応じて顧客が操作したアイコンがいずれであるかを判別する（ステップＳ１０２）。「入金確定」アイコンが操作されたときには、主制御部２０は、一時保留部１３に保留されている紙幣を、いずれかの紙幣カセット１５ａ〜１５ｄに移送させる処理などの入金確定時の処理を実行させる（ステップＳ１０３）。
【００３２】
これに対して、顧客が「取消」アイコンを操作したときには、主制御部２０は、一時保留部１３に保留されている紙幣を接客ユニット１１（紙幣入出金口３）に排出（返却）させると共に、排出紙幣検知センサ１１ａの検知信号に基づいて、接客ユニット１１へ排出された紙幣の枚数データ２８ｃを得る（ステップＳ１０４）。そして、主制御部２０は、一時保留部１３に保留されていた紙幣の枚数データ２８ｂと、接客ユニット１１へ排出された紙幣の枚数データ２８ｃとが一致しているか否かを判別する（ステップＳ１０５）。
【００３３】
両枚数データ２８ｂ及び２８ｃが一致している場合には、主制御部２０は、紙幣入出金口３のシャッタを開き、投入紙幣を顧客に返却させる（ステップＳ１０６）。
【００３４】
一方、両枚数データ２８ｂ及び枚数データ２８ｃが不一致の場合には、主制御部２０は、接客ユニット１１へ排出された紙幣の枚数を再計数する（ステップＳ１０７）。
【００３５】
この再計数時の搬送ルートは限定されるものではないが、紙幣認識ユニットを通過するルートであることが好ましい。例えば、接客ユニット１１が紙幣の分離、繰出しと、搬送路側からの投入とを並行的に実行できるものであれば、接客ユニット１１→紙幣認識ユニット１２→接客ユニット１１の一時保留部１３を含まない経路を再計数時の搬送ルートとし、紙幣認識ユニット１２の認識処理で得た枚数のデータを、接客ユニット１１へ排出された紙幣の新たな枚数データ（再計数枚数データ）２８ｃとするようにしても良い。また例えば、接客ユニット１１→紙幣認識ユニット１２→一時保留部１３→接客ユニット１１の経路を再計数時の搬送ルートとしても良い。この場合、紙幣認識ユニット１２の認識処理で得た枚数のデータを、接客ユニット１１へ排出された紙幣の新たな枚数データ（再計数枚数データ）２８ｃとするようにしても良く、また、排出紙幣検知センサ１１ａの検知信号に基づいて得た枚数のデータを、接客ユニット１１へ排出された紙幣の新たな枚数データ（再計数枚数データ）２８ｃとするようにしても良い。
【００３６】
再計数動作が終了すると、主制御部２０は、一時保留部１３に保留されていた紙幣の枚数データ２８ｂと、接客ユニット１１へ排出された紙幣の再計数枚数データ２８ｃとが一致しているか否かを判別する（ステップＳ１０８）。両枚数データ２８ｂ及び２８ｃが一致している場合には、主制御部２０は、紙幣入出金口３のシャッタを開き、投入紙幣を顧客に返却させる（ステップＳ１０６）。
【００３７】
これに対して、再計数後においても、両枚数データ２８ｂ及び２８ｃが不一致の場合には、主制御部２０は、異常と判断し、係員などへの通知処理や自動取引装置の停止などのエラー処理に移行する（ステップＳ１０９）。
【００３８】
例えば、投入紙幣が一時保留部１３に搬送された後、入金取引が取り消され、一時保留部１３に保留されている紙幣を接客ユニット１１に排出させる際において、一時保留部１３からの分離、繰出しの段階から重送が始まり、その重送紙幣がそのまま、接客ユニット１１に排出された場合には、ステップＳ１０５の判別で不一致という結果が得られる。そのため、接客ユニット１１へ排出された紙幣が再計数される。この再計数において重送が生じなければ、再計数後のステップＳ１０８の判別で一致という結果が得られ、正常終了することになる。
【００３９】
（Ａ−３）第１の実施形態の効果
第１の実施形態によれば、紙幣認識ユニットを通過しない搬送ルートで、一時保留部に保留されていた紙幣を接客ユニットに排出した場合において、保留枚数と排出枚数が不一致のときには、接客ユニットに排出された紙幣を再計数して排出（枚数）の正常、異常を確認するようにしたので、再計数により正常終了となることもあり、エラー処理に移行する割合を従来より低減することができる。その結果、紙幣入出金機を有する自動取引装置の稼働率を高めることができ、また、エラー処理のために顧客に足止めさせるようなことをほとんどなくすことができる。
【００４０】
（Ｂ）第２の実施形態
次に、本発明による貨幣処理装置を、自動取引装置（ＡＴＭ）における紙幣入出金機に適用した第２の実施形態を、図面を参照しながら説明する。
【００４１】
第２の実施形態に係る自動取引装置１Ａも、そのハードウェア構成は、第１の実施形態と同様であり、図１、図２及び図４で表すことができる。第２の実施形態に係る自動取引装置１Ａは、一時保留部１３に一時保留されていた紙幣を接客ユニット１１に排出（返却）する際の処理が、第１の実施形態とは異なっている。
【００４２】
図６は、入金取引処理が選択されたときの第２の実施形態における処理を示すフローチャートであり、第１の実施形態に係る図５との同一ステップには同一符号を付して示している。
【００４３】
第２の実施形態においても、主制御部２０が、一時保留部１３に保留されていた紙幣の枚数データ２８ｂと、接客ユニット１１へ排出された紙幣の枚数データ２８ｃとが一致しているか否かを判別するまでの処理（ステップＳ１０１〜Ｓ１０５）は、第１の実施形態と同様であり、また、両枚数データ２８ｂ及び２８ｃが一致している場合に、主制御部２０が、紙幣入出金口３のシャッタを開き、投入紙幣を顧客に返却させる処理（ステップＳ１０６）を実行することも第１の実施形態と同様である。
【００４４】
第２の実施形態の場合、一時保留部１３に保留されていた紙幣の枚数データ２８ｂと、接客ユニット１１へ排出された紙幣の枚数データ２８ｃとが一致しない場合には、主制御部２０は、接客ユニット１１へ排出された紙幣のうち、所定枚数（例えば、１枚）の紙幣を使用し、搬送路上や各構成要素に何らかのトラブル（例えば、ジャム）が発生していないかを確認する試し出し処理を実施する（ステップＳ１５０）。そして、主制御部２０は、試し出し処理が正常に終了したか否かを判別する（ステップＳ１５１）。
【００４５】
試し出し処理で確認が必要な経路（搬送路や構成要素）は、入金取引のために接客ユニット１１に投入された紙幣が、取引の取消のために接客ユニット１１に返却するために移動した経路の全経路であることが好ましい。そのため、試し出し処理における紙幣の搬送は、接客ユニット１１から紙幣認識ユニット１２経由での一時保留部１３への搬送と、一時保留部１３から紙幣認識ユニット１２を経由しない接客ユニット１１への搬送とになる。
【００４６】
試し出し処理のために接客ユニット１１から分離、繰出された紙幣が、試し出し処理で確認が必要な経路を通って接客ユニット１１に戻り、不足分（枚数データ２８ｂマイナス枚数データ２８ｃ）の他の紙幣が接客ユニット１１に搬送されない場合でも、主制御部２０は、試し出し処理が正常に終了したと捉える。一時保留部１３に保留されていた紙幣を、一時保留部１３から分離、繰出された際に重送が生じ、重送されたまま接客ユニット１１に排出された際には、両枚数データ２８ｂ及び２８ｃは不一致になるが、経路上にジャムがないことはこのような重送が生じたと捉えることができ、一時保留部１３からの全ての紙幣の返却がなされたと捉えることができる。
【００４７】
上記以外を、試し出し処理の異常終了と捉えるようにしても良い。
【００４８】
また、上記以外ではあるが、次の場合も、試し出し処理の正常終了と捉えるようにしても良い。試し出し処理のために接客ユニット１１から分離、繰出された紙幣が、試し出し処理で確認が必要な経路を通って接客ユニット１１に戻ると共に、不足分（枚数データ２８ｂマイナス枚数データ２８ｃ）の他の紙幣が接客ユニット１１に搬送された場合には、主制御部２０は、試し出し処理が正常に終了したと捉えるようにしても良い。この場合は、紙幣のジャム状態が、試し出し処理による紙幣の搬送動作を通じて解消し、ジャム状態の紙幣も試し出し処理の紙幣と同様に接客ユニット１１に搬送された場合である。
【００４９】
主制御部２０は、試し出し処理が正常終了すると、紙幣入出金口３のシャッタを開き、投入紙幣を顧客に返却させる（ステップＳ１０６）。
【００５０】
これに対して、試し出し処理が異常終了すると、主制御部２０は、異常と判断し、係員などへの通知処理や自動取引装置の停止などのエラー処理に移行する（ステップＳ１０９）。
【００５１】
第２の実施形態によれば、紙幣認識ユニットを通過しない搬送ルートで、一時保留部に保留されていた紙幣を接客ユニットに排出した場合において、保留枚数と排出枚数が不一致のときには、接客ユニットに排出された紙幣の一部を使用して試し出し処理を実行するようにしたので、紙幣が搬送路や構成要素に残留していないことを確認できて正常終了となることもあり、エラー処理に移行する割合を従来より低減することができる。その結果、紙幣入出金機を有する自動取引装置の稼働率を高めることができ、また、エラー処理のために顧客に足止めさせるようなことをほとんどなくすことができる。
【００５２】
（Ｃ）他の実施形態
上記実施形態の説明においても、種々変形実施形態に言及したが、さらに、以下に例示するような変形実施形態を挙げることができる。
【００５３】
上記各実施形態においては、一時保留部１３に保留されていた紙幣の枚数データ２８ｂが、接客ユニット１１へ排出された紙幣の枚数データ２８ｃより多くて一致しない場合と、一時保留部１３に保留されていた紙幣の枚数データ２８ｂが、接客ユニット１１へ排出された紙幣の枚数データ２８ｃより少なくて一致しない場合とを区別しないものを示したが、２種類の不一致態様で処理を変えるようにしても良い。例えば、一時保留部１３に保留されていた紙幣の枚数データ２８ｂが、接客ユニット１１へ排出された紙幣の枚数データ２８ｃより少なくて一致しない場合には、再計数処理や試し出し処理を行うことなく、正常と見なすようにしても良い。紙幣認識ユニット１２を経由しても認識できない重送紙幣が一時保留部１３に搬送されて保留され、一時保留部１３から接客ユニット１１への返却では重送が生じなかった場合に、一時保留部１３に保留されていた紙幣の枚数データ２８ｂが接客ユニット１１へ排出された紙幣の枚数データ２８ｃより少なくなるので、このような場合を正常と扱っても良いと思われる。
【００５４】
上記各実施形態においては、一時保留部１３に保留されていた紙幣の枚数データ２８ｂと、接客ユニット１１へ排出された紙幣の枚数データ２８ｃとが一致しない場合には、再計数処理や試し出し処理を行うものを示したが、場合によっては、直ちに、エラー処理に移行するようにしても良い。例えば、枚数の差分が１枚の場合（若しくは総枚数の所定割合以内の場合）など、エラー処理回避条件を満たす場合に再計数処理や試し出し処理を行い、枚数の差分が２枚以上の場合（若しくは総枚数の所定割合を超えている場合）など、エラー処理回避条件を満たさない場合には、直ちに、エラー処理に移行するようにしても良い。
【００５５】
上記各実施形態においては、再計数処理及び試し出し処理の一方を実行するものを示したが、再計数処理及び試し出し処理を併用するようにしても良い。例えば、一時保留部１３に保留されていた紙幣の枚数データ２８ｂと接客ユニット１１へ排出された紙幣の枚数データ２８ｃとの差分が１枚のときに、試し出し処理を通じて、エラー処理への移行を回避しようとし、差分が２枚以上のときに、再計数処理を通じて、エラー処理への移行を回避しようとしても良い。また例えば、再計数処理を実行しても差分が残っている場合に試し出し処理を実行するようにしても良い。再計数処理での搬送経路が、試し出し処理での搬送経路よりかなり短い場合に、このような再計数処理、試し出し処理の順で処理するようにしても良い。
【００５６】
上記各実施形態においては、接客ユニット２２に投入された紙幣を紙幣認識ユニット１２経由で一時保留部１３で搬送する際に計数した紙幣枚数のデータを、一時保留部１３に保留されていた紙幣の枚数データ２８ｂとするものを示したが、一時保留部１３における分離、繰出し機構に関連して設けられている光電センサの検知信号を計数し、その計数データを、一時保留部１３に保留されていた紙幣の枚数データ２８ｂとするようにしても良い。このようにした場合には、一時保留部１３からの分離、繰出しで重送した紙幣がその重送したまま接客ユニット１１に排出された場合には、両枚数データ２８及び２８ｃは一致したものとなり、この点で、エラー処理への移行を回避することができる。
【００５７】
また、紙幣認識ユニット１２経由で一時保留部１３に搬送する際に計数した紙幣枚数のデータ２８ｂと、一時保留部１３から分離、繰出し時に計数した紙幣枚数のデータ２８ｂ−２とを併用するようにしても良い。例えば、接客ユニット１１へ排出（返却）された紙幣の枚数データ２８ｃとの比較は、データ２８ｂで行い、差分がある場合に、データ２８ｃと２８ｂ−２とを比較し、ここで不一致の場合に始めて、再計数処理や試し出し処理を行うようにしても良い。
【００５８】
上記各実施形態においては、一時保留部１３が１個のものを示したが、複数の一時保留部がある自動取引装置であっても本発明を適用することができる。例えば、金種別の一時保留部を備えている場合であっても、各金種別の一時保留部から接客ユニットの搬送毎に、枚数の一致不一致を確認して、上記各実施形態と同様な処理を実行すれば良い。
【００５９】
上記各実施形態においては、紙幣を投入させる入金口と、紙幣を排出させる出金口とが同じものを示したが、これらが異なるものであっても本発明の技術思想を適用することができる。
【００６０】
上記各実施形態の説明では、一時保留部１３を利用する取引が入金取引である場合を説明したが、取引の種類は入金取引に限定されないことは勿論である。例えば、現金入金の振込取引が途中で取り消されたために入金紙幣を返却する場合にも本発明の技術思想を適用することができ、また例えば、両替取引が途中で取り消されたために入金紙幣を返却する場合にも本発明の技術思想を適用することができる。
【００６１】
上記各実施形態では、紙幣の処理で説明したが、硬貨の入金、入金取消の場合にも、同様に処理することができる。
【００６２】
上記各実施形態では、紙幣及び硬貨を取り扱う自動取引装置を示したが、紙幣だけを取り扱う自動取引装置に対しても、硬貨だけを取り扱う自動取引装置に対しても、本発明を適用することができる。
【００６３】
本発明に係る貨幣処理装置が取り扱う貨幣は紙幣や硬貨に限定されず、小切手、証券、証書、チケットなどの他の貨幣であっても良い。また、本発明に係る貨幣処理装置は、金融機関に関係する装置に限定されず、貨幣の取込みを伴う装置であれば良く、例えば、駅等に設置されている切符の自動販売機や、定期券の新規、継続発行装置、コンビニエンスストアやスーパーマーケット等で利用される釣銭処理装置等であっても良い。また、顧客や利用者が操作を行う装置に限定されず、テラーや店員や駅員などの業務が行うものが取り扱う装置に対し、本発明の技術思想を適用することができる。
【符号の説明】
【００６４】
１、１Ａ…自動取引装置、３…紙幣入出金口、１０…紙幣処理部、１１…接客ユニット、１１ａ…排出紙幣検知センサ、１２…紙幣認識ユニット、１３…一時保留部、１５ａ〜１５ｄ…紙幣カセット、２０…主制御部、２８…メモリ部。
【図１】
0005729154.tif 000002
【図２】
0005729154.tif 000003
【図３】
0005729154.tif 000004
【図４】
0005729154.tif 000005
【図５】
0005729154.tif 000006
【図６】
0005729154.tif 000007